(57)【特許請求の範囲】
【請求項１】
鉛直方向に延びる複数の支持脚と、前記支持脚の上端部に固定された回転機械本体とを備えた回転機械の設置方法であって、
基礎上に、前記支持脚を支持する台板を準備する準備工程と、
前記台板上に、前記支持脚の下端部の外形形状に沿って複数の楔形状をなすレベル調整部材を配置するレベル調整部材配置工程と、
前記支持脚を、複数の前記レベル調整部材上に載置する載置工程と、
前記支持脚の下端部への前記レベル調整部材の押し込み量を調整することで、前記回転機械本体の水平レベルを調整する調整工程と、
前記支持脚と複数の前記レベル調整部材とを溶接して、前記支持脚及び前記レベル調整部材の前記台板に対する位置を固定する固定工程と、を含む回転機械の設置方法。
【請求項２】
レベル調整部材配置工程の前に、前記台板上に平板状のライナー部材を配置するライナー部材配置工程をさらに備え、
前記レベル調整部材配置工程では、複数の前記レベル調整部材は前記台板に固定された前記ライナー部材上に配置され、
前記固定工程では、前記支持脚及び複数の前記レベル調整部材は、前記ライナー部材に溶接される請求項１に記載の回転機械の設置方法。
【請求項３】
前記準備工程は、前記台板上に固定されていた既存の支持脚を前記台板から除去する請求項１または請求項２に記載の回転機械の設置方法。
【請求項４】
基礎上に設置された台板と、
前記台板上に設けられた複数の楔形状のレベル調整部材と、
複数の前記レベル調整部材上に載置され、鉛直方向に向かって延びる複数の支持脚と、
前記支持脚の下端部と複数の前記レベル調整部材とが溶接されることで形成され、前記支持脚及び前記レベル調整部材の前記台板に対する位置を固定する固定部と、
複数の前記支持脚に支持された回転機械本体と、を備え、
前記レベル調整部材は、
先端部に向かって高さ寸法が漸次縮小して形成され、
鉛直方向の上方から見た際に前記先端部を前記支持脚の内側に向けて、前記支持脚の下端部の外径形状に沿って周方向に均等に間隔をあけて配置されている回転機械。
【発明の詳細な説明】
【技術分野】
【０００１】
この発明は、回転機械の設置方法、及び回転機械に関する。
【背景技術】
【０００２】
例えば、特許文献１に記載されているような回転機械では、支持脚によって、回転軸を有する回転機械本体が支持されている。このような回転機械を据え付けるときには、基礎上に設置された台板上に複数の支持脚が固定される。その後、固定された支持脚上に回転機械本体を設置することで回転機械が設置される。【０００３】
ところで、このような回転機械を設置する際には、回転機械本体の回転軸を水平に配置する必要がある。回転軸を水平に配置するために、例えば、支持脚の上端部に対する回転機械本体の位置や高さを調整することにより、回転機械本体の水平度を調整する方法がある。
【先行技術文献】
【特許文献】
【０００４】
【特許文献１】特開２０１６−７５１９４号公報
【発明の概要】
【発明が解決しようとする課題】
【０００５】
しかしながら、既に回転機械本体に支持脚が固定されている場合には、上述したような方法をとることができない。そのため、台板に対する支持脚の位置を調整することで、回転機械の水平度を確保する必要がある。【０００６】
本発明は、台板に対する支持脚の位置を調整することで、回転機械の水平度を確保することが可能な回転機械の設置方法、及び回転機械を提供する。
【課題を解決するための手段】
【０００７】
本発明の第一の態様に係る回転機械の設置方法は、鉛直方向に延びる複数の支持脚と、前記支持脚の上端部に固定された回転機械本体とを備えた回転機械の設置方法であって、基礎上に、前記支持脚を支持する台板を準備する準備工程と、前記台板上に、前記支持脚の下端部の外形形状に沿って複数の楔形状をなすレベル調整部材を配置するレベル調整部材配置工程と、前記支持脚を、複数の前記レベル調整部材上に載置する載置工程と、前記支持脚の下端部への前記レベル調整部材の押し込み量を調整することで、前記回転機械本体の水平レベルを調整する調整工程と、前記支持脚と複数の前記レベル調整部材とを溶接して、前記支持脚及び前記レベル調整部材の前記台板に対する位置を固定する固定工程と、を含む。【０００８】
このような構成によれば、楔形状のレベル調整部材の支持脚の下端部への押し込み量を調整することで、支持脚の上端部の水平レベル調整を行うことができる。したがって、支持脚に固定されている回転機械本体の台板に対するレベル調整を容易かつ確実に行うことができる。【０００９】
本発明の第二の態様に係る回転機械の設置方法は、第一の態様において、レベル調整部材配置工程の前に、前記台板上に平板状のライナー部材を配置するライナー部材配置工程をさらに備え、前記レベル調整部材配置工程では、複数の前記レベル調整部材は前記台板に固定された前記ライナー部材上に配置され、前記固定工程では、前記支持脚及び複数の前記レベル調整部材は、前記ライナー部材に溶接されるようにしてもよい。【００１０】
このような構成によれば、台板の上面が平滑でない場合であっても、レベル調整部材を、平板状のライナー部材の平滑面上に配置することができる。したがって、レベル調整部材の支持脚の下方への押し込み量を調整する際に、レベル調整部材を容易に移動させることができる。【００１１】
本発明の第三の態様に係る回転機械の設置方法では、第一又は第二の態様において、前記準備工程は、前記台板上に固定されていた既存の支持脚を前記台板から除去するようにしてもよい。【００１２】
このような構成によれば、既存の支持脚を除去した後、既存の支持脚が固定されていた台板を利用して、新設の回転機械本体及び支持脚を設置することができる。したがって、台板を設置し直す必要が無く、作業の効率化、及びコスト低減を図ることができる。【００１３】
本発明の第四の態様に係る回転機械は、基礎上に設置された台板と、前記台板上に設けられた複数の楔形状のレベル調整部材と、複数の前記レベル調整部材上に載置され、鉛直方向に向かって延びる複数の支持脚と、前記支持脚の下端部と複数の前記レベル調整部材とが溶接されることで形成され、前記支持脚及び前記レベル調整部材の前記台板に対する位置を固定する固定部と、複数の前記支持脚に支持された回転機械本体と、を備え、前記レベル調整部材は、先端部に向かって高さ寸法が漸次縮小して形成され、鉛直方向の上方から見た際に前記先端部を前記支持脚の内側に向けて、前記支持脚の下端部の外径形状に沿って周方向に均等に間隔をあけて配置されている。
【発明の効果】
【００１４】
本発明によれば、回転機械を設置する際に、台板に対する回転機械本体の水平度を容易かつ確実に調整することができる。
【図面の簡単な説明】
【００１５】
【図１】本実施形態における回転機械の設置方法を適用して置き換えられる前の第一圧縮機の概略構成を示す立面図である。
【図２】本実施形態における回転機械の設置方法の流れを示すフローチャートである。
【図３】本実施形態における回転機械の設置方法において、第一支持脚から第一圧縮機本体を撤去した状態を示す斜視図である。
【図４】本実施形態における回転機械の設置方法において、第一支持脚を台板から除去した状態を示す斜視図である。
【図５】本実施形態における回転機械の設置方法において、ライナー板上にレベル調整部材をセットした状態を示す斜視図である。
【図６】本実施形態における回転機械の設置方法において、レベル調整部材を第二支持脚の下方に押し込むことで、第二圧縮機本体の水平レベル調整を行っている状態を示す斜視図である。
【図７】本実施形態における回転機械の設置方法において、第二支持脚を、レベル調整部材及びライナー板に溶接した状態を示す斜視図である。
【図８】本実施形態における回転機械の設置方法によって設置された第二圧縮機を示す立面図である。
【発明を実施するための形態】
【００１６】
以下、図面を参照して、本発明の回転機械の設置方法、及び回転機械を説明する。この実施形態においては、回転機械の設置方法として、既設の圧縮機（回転機械）を、新設の圧縮機（回転機械）に置き換えて設置する場合を例に挙げて説明を行う。
【００１７】
図１に示すように、既設の圧縮機である第一圧縮機１は、台板３と、複数本（本実施形態では例えば四本）の第一支持脚（支持脚）４と、第一圧縮機本体（圧縮機本体）５と、を備える。
【００１８】
台板３は、地盤に構築された基礎２上に設けられている。台板３は、第一支持脚４を支持可能とされている。台板３は、例えば、複数の鋼材が組み合されることで平面視矩形の枠状をなしている。
【００１９】
第一支持脚４は、台板３上に接合されて固定されている。第一支持脚４は、鉛直方向Ｄｖに向かって延びている。第一支持脚４は、下端部４ａが台板３上に直接溶接されている。第一支持脚４は、下端部４ａから上端部４ｂに向かって鉛直方向Ｄｖの上方に延びている。
【００２０】
第一圧縮機本体５は、その外殻をなすケーシング５ａと、ケーシング５ａの外周面から外方に突出する被支持部５ｂと、を有している。第一圧縮機本体５は、被支持部５ｂが各第一支持脚４の上端部４ｂ上に載置された状態で接合されることで、複数の第一支持脚４と一体に形成されている。
【００２１】
上記したような第一圧縮機１を新設の圧縮機である第二圧縮機１０に置き換えるには、図２に示すような流れで、作業を順次行う。第一に、図３に示すように、複数の第一支持脚４上から、第一圧縮機本体５を撤去する（圧縮機本体除去工程Ｓ１）。具体的には、第一支持脚４の上端部４ｂと被支持部５ｂとの間が溶断等によって切断されて、第一支持脚４と第一圧縮機本体５とが切り離される。その後、第一圧縮機本体５が第一支持脚４上から撤去される。
【００２２】
次に、図４に示すように、台板３上に固定されていた各第一支持脚４を、台板３から除去することで、基礎上に台板３を準備する（準備工程Ｓ２）。具体的には、各第一支持脚４の下端部４ａと台板３との間が、例えば溶断等によって切断される。その後、複数の第一支持脚４が台板３上から撤去される。第一支持脚４が台板３上から除去された後に、台板３の第一支持脚４と接合されていた箇所が凹凸をなくすように研磨される。これにより、支持脚を支持する台板３の準備が完了する。この後、新設の圧縮機である第二圧縮機１０の第二支持脚１４及び第二圧縮機本体（回転機械本体）１５（図８参照）を台板３上に設置する。
【００２３】
図８に示すように、第二支持脚１４は、第一支持脚４と同様に、鉛直方向Ｄｖに向かって延びている。第二支持脚１４は、下端部１４ａから上端部１４ｂに向かって鉛直方向Ｄｖの上方に延びている。
【００２４】
第二圧縮機本体１５は、第一圧縮機本体５と同様に、その外殻をなすケーシング１５ａと、ケーシング１５ａの外周面から外方に突出する被支持部１５ｂと、を有している。
【００２５】
図５に示すように、第一支持脚４の除去後であって、後述するレベル調整部材配置工程Ｓ４の前に、台板３上の新設の支持脚である第二支持脚１４を設置する箇所に、新設のライナー板（ライナー部材）１６を設置する（ライナー部材配置工程Ｓ３）。ライナー板１６は、矩形平板状をなしている。ライナー板１６は、台板３と同じ鋼材で形成されている。ライナー板１６は、後述する新設の圧縮機である第二圧縮機１０の設置位置に配置される。ライナー板１６の外周部１６ａが台板３の上面３ｆに溶接されることで、ライナー板１６は台板３に対して一体に固定される。なお、ライナー板１６は、台板３の第一支持脚４と接合されていた箇所上に重ねるように配置されてもよい。
【００２６】
次に、台板３上に、第二支持脚１４の下端部１４ａの外形形状に沿って複数のレベル調整部材１７を配置する（レベル調整部材配置工程Ｓ４）。本実施形態では、台板３に固定されたライナー板１６上に、複数のレベル調整部材１７が配置される。レベル調整部材１７は、先端部１７ａに向かって高さ寸法が漸次縮小する楔形状をなしている。レベル調整部材１７は、台板３と同じ鋼材で形成されている。複数のレベル調整部材１７は、第二支持脚１４の下端部１４ａの外形形状に沿って、周方向に均等に間隔をあけて配置されることが好ましい。また、各レベル調整部材１７は、鉛直方向Ｄｖの上方から見た際に、先端部１７ａを第二支持脚１４の内側に向けて配置される。
【００２７】
この後、新設の圧縮機である第二圧縮機１０の第二支持脚１４及び第二圧縮機本体（回転機械本体）１５（図８参照）を載置する（載置工程Ｓ５）。具体的には、第二支持脚１４を、複数のレベル調整部材１７上に載置する。この際、レベル調整部材１７の先端部１７ａが第二支持脚１４とライナー板１６との間に挟まれた状態となり、レベル調整部材１７の一部が第二支持脚１４から外側に飛び出した状態となる。
【００２８】
なお、第二支持脚１４は、予め第二圧縮機本体１５に一体に取り付けておいてもよく、第二支持脚１４を台板３に対して固定した後に、第二支持脚１４を第二圧縮機本体１５と取り付けてもよい。第二支持脚１４と第二圧縮機本体１５とを予め一体にしておく場合、複数の第二支持脚１４を取り付けた第二圧縮機本体１５を吊り込み、各第二支持脚１４を、ライナー板１６上にセットされた複数のレベル調整部材１７上に載せる。これにより、複数のレベル調整部材１７は、ライナー板１６と各第二支持脚１４との間に介在することとなる。
【００２９】
次いで、図６に示すように、第二支持脚１４の下端部１４ａへのレベル調整部材１７の押し込み量を調整することで、第二圧縮機本体１５の水平レベルを調整する（調整工程Ｓ６）。具体的には、各第二支持脚１４において、レベル調整部材１７を、ハンマー２０等でライナー板１６と第二支持脚１４との間の奥に打ち込む。これにより、第二支持脚１４の下端部１４ａに対するレベル調整部材１７の押し込み量を調整する。レベル調整部材１７が楔形状をなしていることで、押し込み量の調整によって、第二支持脚１４の上端部１４ｂの高さが調整される。その結果、第二支持脚１４の上端部１４ｂ上に載置される第二圧縮機本体１５の被支持部１５ｂの高さが調整される。これにより、第二圧縮機本体１５に設けられた回転軸（図示無し）が水平となるように、第二圧縮機本体１５の水平レベル調整が行われる。
【００３０】
図７に示すように、調整工程Ｓ６後に、各第二支持脚１４の下端部１４ａと、ライナー板１６と、レベル調整部材１７とを溶接する。これにより、第二支持脚１４及びレベル調整部材１７の台板３に対して位置を固定する（固定工程Ｓ７）。第二支持脚１４の下端部１４ａとライナー板１６とは、レベル調整部材１７を巻き込むように第二支持脚１４の下端部１４ａの全周にわたって連続して溶接される。これにより、第二支持脚１４の下端部１４ａを周方向から覆うように溶接ビード（固定部）２１が形成される。ライナー板１６と各第二支持脚１４との間に介在する複数のレベル調整部材１７は、溶接ビード２１によって、第二支持脚１４と一体をなすようにライナー板１６に接合される。
【００３１】
溶接ビード２１は、第二支持脚１４の下端部１４ａと複数のレベル調整部材１７とが溶接されることで形成される。溶接ビード２１は、ライナー板１６を介して、第二支持脚１４及びレベル調整部材１７の台板３に対する位置を固定している。
【００３２】
これによって、図８に示すように、既設の第一圧縮機１を新設の第二圧縮機１０に置き換えて設置することができる。したがって、第二圧縮機１０は、台板３と、ライナー板１６と、レベル調整部材１７と、第二支持脚１４と、溶接ビード２１と、第二圧縮機本体１５と、を備えている。
【００３３】
上述した実施形態の回転機械の設置方法、及び回転機械によれば、楔形状のレベル調整部材１７の第二支持脚１４の下端部１４ａへの押し込み量を調整することで、台板３に対する第二支持脚１４の上端部１４ｂの水平レベル調整を行うことができる。したがって、被支持部１５ｂを介して第二支持脚１４の上端部１４ｂに固定されている第二圧縮機本体１５の水平レベル調整を行うことができる。これにより、台板３に対する第二圧縮機本体１５の水平度を容易かつ確実に調整することができる。したがって、台板３に対する第二支持脚１４の位置を調整することで、第二圧縮機１０の水平度を確保することができる。
【００３４】
また、台板３上に平板状のライナー板１６が設けられ、複数のレベル調整部材１７はライナー板１６上に配置されている。そのため、台板３の上面が平滑でない場合であっても、レベル調整部材１７を、平板状のライナー板１６の平滑面上に配置することができる。したがって、台板３の状態に関わらず、レベル調整部材１７の第二支持脚１４の下方への押し込み量を調整する際に、レベル調整部材１７を容易に移動させることができる。
【００３５】
また、既存の第一圧縮機本体５及び既存の第一支持脚４を除去した後、既存の第一支持脚４が固定されていた台板３を利用して、新設の第二圧縮機本体１５及び第二支持脚１４が設置されている。したがって、新たに圧縮機を設置する際に、台板３を設置し直す必要が無く、作業の効率化、及びコスト低減を図ることができる。
【００３６】
以上、本発明の実施形態について図面を参照して詳述したが、実施形態における各構成及びそれらの組み合わせ等は一例であり、本発明の趣旨から逸脱しない範囲内で、構成の付加、省略、置換、及びその他の変更が可能である。また、本発明は実施形態によって限定されることはなく、特許請求の範囲によってのみ限定される。
【００３７】
例えば、上記実施形態では、既設の第一圧縮機１を新設の第二圧縮機１０に置き換える場合を例に挙げたが、これに限られるものではない。例えば、第一圧縮機１が無い場所に、新設の第二圧縮機１０を設置する場合であっても、本発明を適用することが可能である。この場合、台板３を準備する工程では、台板３を基礎上に新たに設置すればよい。
【００３８】
また、上記実施形態では、回転機械として、圧縮機を例示したが、これに限らず、各種のタービンや電動機等の回転機械であっても、本発明の回転機械の設置方法を適用可能である。
【産業上の利用可能性】
【００３９】
上記した回転機械の設置方法、及び回転機械によれば、台板に対する支持脚の位置を調整することで、回転機械の水平度を確保することができる。
【符号の説明】
【００４０】
１  第一圧縮機（回転機械）
２  基礎
３  台板
３ｆ  上面
４  第一支持脚（支持脚）
４ａ  下端部
４ｂ  上端部
５  第一圧縮機本体（回転機械本体）
５ａ  ケーシング
５ｂ  被支持部
１０  第二圧縮機（回転機械）
１４  第二支持脚（支持脚）
１４ａ  下端部
１４ｂ  上端部
１５  第二圧縮機本体（回転機械本体）
１６  ライナー板（ライナー部材）
１６ａ  外周部
１７  レベル調整部材
１７ａ  先端部
２０  ハンマー
２１  溶接ビード（固定部）
Ｓ１  圧縮機本体除去工程
Ｓ２  準備工程
Ｓ３  ライナー部材配置工程
Ｓ４  レベル調整部材配置工程
Ｓ５  載置工程
Ｓ６  調整工程
Ｓ７  固定工程
【図１】
0006706344.tif 000002
【図２】
0006706344.tif 000003
【図３】
0006706344.tif 000004
【図４】
0006706344.tif 000005
【図５】
0006706344.tif 000006
【図６】
0006706344.tif 000007
【図７】
0006706344.tif 000008
【図８】
0006706344.tif 000009